(57)【要約】【課題】身近な問題として、ＣＯ2 排出量の削減の必要性を目視にて認識できる装置を提供する。【解決手段】特定区域Ｚ内の時間当りのＣＯ2 排出量を、表示手段２にて表示する。【選択図】図４
2010002981.tif 000002
【特許請求の範囲】
【請求項１】
特定区域（Ｚ）内の時間当りのエネルギー消費量を時間当りのＣＯ2 排出量に換算する演算手段（Ｍ）を備え、
かつ、上記特定区域（Ｚ）の出入部等の多人数通過場所（Ｂ）に、上記時間当りのＣＯ2 排出量を表示する表示手段（２）を備えたことを特徴とするＣＯ2 排出量削減啓蒙装置。
【請求項２】
上記エネルギー消費量が電力消費量であり、上記表示手段（２）がデジタル表示盤である請求項１記載のＣＯ2 排出量削減啓蒙装置。
【請求項３】
上記エネルギー消費量が電力消費量とガス消費量であり、上記表示手段（２）がデジタル表示盤である請求項１記載のＣＯ2 排出量削減啓蒙装置。
【発明の詳細な説明】
【技術分野】
【０００１】
本発明は、ＣＯ2 排出量削減啓蒙装置に関する。
【背景技術】
【０００２】
現在、温暖化による地球環境への影響は想像をはるかに超え、その主たる原因であるＣＯ2 排出量の削減は人類の切実なる願いとなっている。
しかし、その規模があまりにも大きく広範囲に渡るため、一般の人達が身近な問題として捉え難いというのが実情である。
【０００３】
従来、消費電力を計測して表示する電力表示システムは公知である（例えば、特許文献１参照）。即ち、消費電力を表示して、この電力の消費を少なくなるように、節約しようとする心を持つ人も多くいたが、さらに上記ＣＯ2 排出の問題として、一般的には、捉えられていなかった。
【特許文献１】特開２００４−３２５１９５号公報
【発明の開示】
【発明が解決しようとする課題】
【０００４】
このように、従来は、電気やガスの各人の毎日の消費が、地球環境に重大な影響を与えるとして、身近に受けとめることが難しかったのが実情である。
【０００５】
そこで、本発明は、各々の工場、会社、事業所、病院、学校、事務所、ビルディング、マンション、アパート、飛行場、村、町、市等───本発明に於て、「特定区域」と言う───内における時間当りのＣＯ2 排出量を、リアルタイムで、目視で確認できるようにして、互いの生活活動とＣＯ2 排出量とが直結していることを認識し、ＣＯ2 排出量削減に積極的に取組むように啓蒙することを、目的とする。
【課題を解決するための手段】
【０００６】
上記目的を達成するために、特定区域内の時間当りのエネルギー消費量を時間当りのＣＯ2 排出量に換算する演算手段を備え、かつ、上記特定区域の出入部等の多人数通過場所に、上記時間当りのＣＯ2 排出量を表示する表示手段を備えたものである。
また、上記エネルギー消費量が電力消費量であり、上記表示手段がデジタル表示盤である。あるいは、上記エネルギー消費量が電力消費量とガス消費量であり、上記表示手段がデジタル表示盤である。
【発明の効果】
【０００７】
本発明によれば、次のような効果を奏する。特定区域内の住人、あるいは、利用者や入居者が、リアルタイムで自分達が排出しているＣＯ2 排出量を目視で確認でき、互いの生活活動とＣＯ2 排出量とが直結していることを認識し、ＣＯ2 排出量削減に積極的に取組むよう啓蒙される。
【発明を実施するための最良の形態】
【０００８】
以下、図示の実施の形態に基づき本発明を詳説する。
本発明に係るＣＯ2 排出量削減啓蒙装置は、図２に例示したように、時間当りのＣＯ2 排出量を表示する表示手段２を備えており、箱型ケーシング３の表て面には、「電力消費ＣＯ2 排出量」、「電力・ガスの消費によるＣＯ2 排出量」、「当ビル只今の電力消費ＣＯ2 排出量」、「あなたの会社のＣＯ2 排出量」、「我々の事業所の消費エネルギーに伴うＣＯ2 排出量」、「○○病院の電力消費ＣＯ2 排出量」、「△△ビルディングの消費エネルギー換算ＣＯ2 排出量」、「私のマンションの電力消費ＣＯ2 排出量」、「私の村落の只今のＣＯ2 排出量」、「我町の消費電力に伴うＣＯ2 排出量」等の第１表示部４と、ＣＯ2 排出量を所定時間毎に後述の演算によって算出して表示変更するデジタル表示部５と、kg／時間やｇ／分等のようにその単位を表示する第２表示部６とを、有している。
【０００９】
図２に示した表示手段２は、エネルギー消費量が電力消費量であり、かつ、デジタル表示盤であるといえる。なお、エネルギー消費量が、ガスエネルギー消費量であっても良く、さらには、（後述のように）電力及びガスの両エネルギーを合算したエネルギー消費量であっても、好ましい。
特定区域は既に定義した通りであるが、図３〜図７に各々示した実施の形態に基づいて、さらに、説明すると、以下の通りである。
つまり、図３は、特定区域Ｚが（高層）マンションであって、その出入口10の横の多人数通過場所Ｂに表示手段２が設けられている場合を示す。なお、出入口10の正面位置や、マンションの屋上等に表示することも可能である。
【００１０】
次に、図４に於ては、特定区域Ｚがアパート（集合住宅）や社宅であり、その通路進入部等の多人数通過場所Ｂに、表示手段２が設置されている場合を示す。（なお、出入口10に設けるも自由である。）
次に、図５に於ては、特定区域Ｚが病院の場合を例示し、その玄関前のロータリー等の多人数通過場所Ｂに、表示手段２が設置されている場合を示す。なお、玄関（出入口）10に設けることも好ましい（図示省略）。
次に、図７に於ては、特定区域が飛行場の場合を例示し、その玄関等の多人数通過場所Ｂの、やや高所───屋根の前縁部───に設けている。なお、多くの出入口の各部に設けるも好ましい（図示省略）。
【００１１】
次に、図６に於て、特定区域Ｚが、会社や事業所や事務所であって、その受付12等の多人数通過場所Ｂに、表示手段２が設置されている場合を示す。
また、特定区域Ｚが、病院（図５）、又は、飛行場（図７）である場合に、その受付12に、図６のように、設けるも好ましい。さらには、表示手段２を壁掛け状態で取付けるも好ましい（図示省略）。
そして、図１に示すように、特定区域Ｚ内の時間当りの電力消費量を、時間当りのＣＯ2 排出量に換算する演算手段Ｍを、本発明は具備している。
【００１２】
特定区域Ｚ内の消費電力13は、電力トランスデューサによって、ＫＷからＤＣ（mA）に変換されて、入力信号Ｉ1 として、入力信号絶縁回路14に送信される。次に、第１演算部15では、入力信号のレンジ（最大値）を入力レンジ設定部17にて設定し、その設定した入力レンジに於ける現在入力値を表示部16にて表示する。但し、この入力レンジ設定部17と入力レンジ表示部16は、ケーシング内部に格納している。
【００１３】
次に、第２演算部18に於て、ＣＯ2 係数を掛けて、ＣＯ2 排出量を演算して出力Ｉ2 する。
19は演算係数設定部であり、第２演算部18へ演算係数αを入力する。電力会社等からの情報により、重油系か原子力系か水力系か風力系かによって、かつ、その割合によって、各電力会社の単位電力当りのＣＯ2 排出量は相違するから、上記電力会社等からの情報に基づいて、演算係数αを予め計算して第２演算部18へ入力する。
この第２演算部18にて、次の演算を行っているといえる。
（消費電力）×α＝（単位時間当りのＣＯ2 排出量）
その後、ＢＣＤ変換出力部20にて、演算結果（信号Ｉ2 ）からＢＣＤ４桁に変換し、出力信号Ｉ3 を、前述の表示手段２へ送って、デジタル表示部５にＣＯ2 排出量を表示する。
【００１４】
以上は、実線にて示した、消費電力13に対応したブロック図の流れを説明したが、次に、破線にて示すガス消費量23に関して説明する。特定区域Ｚ内のガス消費量23は、それに比例した信号Ｉ1 ′として入力信号絶縁回路24に送信される。次に、第３演算部25では入力信号のレンジ（最大値）を入力レンジ設定部27にて設定し、その設定した入力レンジに於ける現在入力値を表示部26にて表示する。但し、この入力レンジ設定部27と入力レンジ表示部26はケーシング内部に格納している。
【００１５】
次に、第４演算部28に於て、ガス消費量に対応するＣＯ2 係数を掛けてＣＯ2 排出量を演算して出力Ｉ2 ′する。
29は演算係数設定部であり、第４演算部28へ演算係数βを入力する。ガス会社等からの情報により、そのガス成分とその割合等によって、単位消費量（ｍ3 ）当りのＣＯ2 排出量は相違するから、演算係数βを予め計算して第４演算部28へ入力する。
この第４演算部28にて、次の演算を行っているといえる。
（ガス消費量）×β＝（単位時間当りのＣＯ2 排出量）
【００１６】
特定区域Ｚ内で、電気を消費せず、又は、僅かである等の理由で、ガス消費量に対してのみＣＯ2 消費量を演算・表示する場合には、出力信号Ｉ2 ′は、次に、（第５演算部30を経ずに、）直ちに、ＢＣＤ変換出力部20を経て、表示手段２へ送信してデジタル表示部５に、ガス消費量のみに対応したＣＯ2 排出量を表示する。
【００１７】
ところで、特定区域Ｚ内の、電力とガスの両消費量に対応したＣＯ2 排出量を合算表示する場合には、図１に於て、実線32を省略して、代わりに、破線33にて、第５演算部30へ出力信号Ｉ2 を送る。同時に、第４演算部28からは、出力信号Ｉ2 ′を、上記第５演算部30へ送る。
この第５演算部30にて、出力信号Ｉ2 とＩ2 ′を加算して、その加算結果を、合算出力信号Ｉ3 として、ＢＣＤ変換出力部20へ送って、表示手段２にて、特定区域Ｚ内のエネルギー消費量としては、電力とガスの両方の合算ＣＯ2 排出量を、表示する。このように、エネルギー消費量が、電力消費量とガス消費量であって、それを合算して、表示手段２にデジタル表示することも、望ましい。
【００１８】
なお、本発明は上述の実施例以外にも設計変更自由であって、油あるいは水等の消費量を、各々の演算係数を掛けて、各々表示したり、又は、上述の電力又はガスの消費量と、合算して、表示することも、自由である。
【００１９】
本発明は以上述べたように、特定区域Ｚ内の時間当りのエネルギー消費量を時間当りのＣＯ2 排出量に換算する演算手段Ｍを備え、かつ、上記特定区域Ｚの出入部等の多人数通過場所Ｂに、上記時間当りのＣＯ2 排出量を表示する表示手段２を備えた構成であるので、多くの人がリアルタイムで、特定区域内でのＣＯ2 排出量を目視確認でき、これによって、互いの生活活動とＣＯ2 排出量とを、直結して認識されて、ＣＯ2 排出量削減に積極的に取組むようになる。つまり、各人がエネルギー消費を節約して、地球環境を守りたいという心を持つように啓蒙されることとなる。
【図面の簡単な説明】
【００２０】
【図１】本発明の実施の一形態を示すブロック図である。
【図２】表示手段の一例を示す斜視図である。
【図３】特定区域と表示手段の場所を例示する斜視図である。
【図４】特定区域と表示手段の場所を例示する斜視図である。
【図５】特定区域と表示手段の場所を例示する斜視図である。
【図６】特定区域と表示手段の場所を例示する斜視図である。
【図７】特定区域と表示手段の場所を例示する斜視図である。
【符号の説明】
【００２１】
２  表示手段
Ｂ  多人数通過場所
Ｍ  演算手段
Ｚ  特定区域
【図１】
2010002981.tif 000003
【図２】
2010002981.tif 000004
【図３】
2010002981.tif 000005
【図４】
2010002981.tif 000006
【図５】
2010002981.tif 000007
【図６】
2010002981.tif 000008
【図７】
2010002981.tif 000009